(57)【要約】【課題】複数色の発光ダイオードを効率よく用いて表示シートの文字等を発光させるための白色光と有色光とを切り替え点灯させることの可能な表示シートのバックライトを提供すること。【解決手段】複数の区画７ａ〜７ｃと、各区画７ａ〜７ｃに配置される発光体とを備える。発光体は加法混色により白色となる複数色の発光ダイオードからなり、これらの発光ダイオードと表示シート５との間に少なくとも光拡散シート８を配置する。また、発光ダイオードは、平面視で多角形状に配置する。そして、文字、図形又は記号が、区画７ａ〜７ｃに対応して表示された表示シート５をその裏側から発光体で区画７ａ〜７ｃ毎に照らすことにより、文字、図形又は記号を透過点灯させる【選択図】        図２
2004198878.tif 000002
【特許請求の範囲】
【請求項１】
複数の区画（７ａ〜７ｃ）と、各区画（７ａ〜７ｃ）に配置される発光体とを備え、文字、図形又は記号（６）（以下、「文字等」）が前記区画（７ａ〜７ｃ）に対応して表示された表示シート（５）をその裏側から前記発光体で前記区画（７ａ〜７ｃ）毎に照らすことにより前記文字等（６）を透過点灯させる表示シートのバックライトであって、前記各区画（７ａ〜７ｃ）に配置される発光体が加法混色により白色となる複数色の発光ダイオード（３１，３２，３３）からなり、これらの発光ダイオード（３１，３２，３３）と前記表示シート（５）との間に少なくとも光拡散シート（８）を配置したことを特徴とする表示シートのバックライト。
【請求項２】
前記加法混色の最小単位である発光ダイオード群（３０）に含まれる発光ダイオード（３１，３２，３３）が平面視で多角形状に配置されていることを特徴とする請求項１記載の表示シートのバックライト。
【請求項３】
前記複数の区画（７ａ〜７ｃ）の全体を囲い（１２）でとり囲んであることを特徴とする請求項１又は２記載の表示シートのバックライト。
【発明の詳細な説明】
【０００１】
【発明の属する技術分野】
本発明は、例えば、スロットマシン、パチンコ機、ピンボールゲーム機、アレンジボールゲーム機のような遊技機等や、店内・店頭サイン等に用いられる表示シートのバックライトに関するものである。さらに詳しくは、複数の区画と、各区画に配置される発光体とを備え、文字、図形又は記号（以下、「文字等」）が前記区画に対応して表示された表示シートをその裏側から前記発光体で前記区画毎に照らすことにより前記文字等を透過点灯させる表示シートのバックライトに関する。
【０００２】
【従来の技術】
従来、ルーレット等の回転する表示シートのバックライトにおける発光体としては、白熱灯や白色発光ダイオード等が用いられていた。特に白色発光ダイオードは光源色がフラットであることから、表示シートに描く文字等の色を決定するにあたり、光源色を考慮する必要がないという利点がある。
【０００３】
【特許文献１】
特開平１０−３２８３５０号公報
【０００４】
ただ、白色発光ダイオードの点滅のみでは、表示シートの発光に変化がなく単調である。そこで、各区画に有色発光ダイオードを配置すれば、点滅発光色に変化を与えることができる。しかし、表示シートの発光色を考慮すれば、白色発光ダイオードも併用せざるを得ず、非効率的である。
【０００５】
【発明が解決しようとする課題】
かかる従来の実状に鑑みて、本発明は、複数色の発光ダイオードを効率よく用いて表示シートの文字等を発光させるための白色光と有色光とを切り替え点灯させることの可能な表示シートのバックライトを提供することを目的とする。
【０００６】
【課題を解決するための手段】
上記目的を達成するため、本発明に係る表示シートのバックライトの特徴は、複数の区画と、各区画に配置される発光体とを備え、文字等が前記区画に対応して表示された表示シートをその裏側から前記発光体で前記区画毎に照らすことにより前記文字等を透過点灯させる構成において、前記各区画に配置される発光体が加法混色により白色となる複数色の発光ダイオードからなり、これら発光ダイオードと前記表示シートとの間に少なくとも光拡散シートを配置したことにある。
【０００７】
ここに、前記光拡散シートが前記発光ダイオードの光を少なくともこのシートに沿う二次元方向に拡散させるものであり、前記光拡散シートを前記発光ダイオードから離隔させて配置することが望ましい。また、前記発光ダイオードを平面視で多角形状の一例である三角状に配置することで、より均一に光源色の混色が可能となる。
【０００８】
また、前記加法混色の最小単位である発光ダイオード群に含まれる発光ダイオードが平面視で多角形状に配置されていてもよい。前記複数の区画の全体を囲いでとり囲むことで、囲いを利用した区画内の反射による照射効果が得られる。
【０００９】
本発明の以下に示す実施形態では、前記複数色の発光ダイオードとして、ＲＧＢ発光ダイオードを用いている。なお、本明細書では、Ｒは赤（Ｒｅｄ）、Ｇは緑（Ｇｒｅｅｎ）、Ｂは青（Ｂｌｕｅ）をそれぞれ意味するものとする。
【００１０】
【発明の実施の形態】
次に、添付図面を参照しながら、本発明をさらに詳しく説明する。
図１はスロットマシンに用いられるリールユニット１の斜視図である。このリールユニット１はフレーム２に符号３ａ〜３ｃで示す３つのリールを回転自在に支持してなる。各リール３ａ〜３ｃはそれぞれステッピングモーター及びエンコーダーにより回転制御されるリールドラム４に文字等６を印刷した表示シート５を貼り付けることにより構成してある。
【００１１】
各リールドラム４の内側にはバックライトユニット７を配置してあり、符号７ａ〜７ｃで示す３つの区画に収納される発光ダイオードにより表示シート５を裏側から照らし、上記文字等６を透過表示させる。各文字等６のピッチは先の区画７ａ〜７ｃのピッチに対応しており、バックライトユニット７の対応部のみ図示しないスロットマシンの窓部に表示される。
【００１２】
各リール３ａ〜３ｃはそれぞれ個別に回転制御が可能で、またそれぞれに対応させて設けたボタンを押圧することで、個別に停止させることができる。そして、中区画７ｂの位置に停止した文字等６の組み合わせが所定の組み合わせとなった際に、メダルや景品を発行する。
【００１３】
図１〜３に示すように、バックライトユニット７は、大略、ケース１０と、基板２０と、発光ダイオード群３０と、ケース１０上に順次配置される光拡散シート８及びマットシート９とよりなる。ケース１０は、取付部１１を介してフレーム２に取り付けられており、角錐台状に形成された囲い１２の内部を山形に組み合わせた仕切り１３で２カ所において仕切り、３つの区画７ａ〜７ｃを形成してある。ケース１０は光を反射しやすいように白色等のプラスチック材料で形成され、各区画７ａ〜７ｃの内部は光をより拡散させ易いように角錐台状に形成されている。
【００１４】
本実施例における光源としては、ＲＧＢ発光ダイオード３１，３２，３３を組み合わせた発光ダイオード群３０を各区画７ａ〜７ｃに３組ずつ用いている。ＲＧＢ発光ダイオード３１，３２，３３は、それぞれ各発光ダイオード群３０において平面視で正三角形をなすように基板２０に取り付けてある。ＲＧＢの各発光ダイオード３１，３２，３３は、図示しない制御装置により個別に点灯制御が可能となっている。
【００１５】
図２は分解断面図であって、バックライトユニット７において、光拡散シート８及びマットシート９はそれぞれの上下端においてほぼ直角に折り曲げられた折り曲げ部８ｘ，９ｘをケース１０の上下にそれぞれ係止すると共に図示しない粘着テープで固定してある。光拡散シート８と発光ダイオード群３０とは適度に離隔されて、後述の二次元方向に対し光を拡散できるように構成してある。マットシート９は光拡散シート８に密着しているが、表示シート５はマットシート９から接触を避けるように僅かに離隔している。
【００１６】
光拡散シート８の表側表面の部分拡大図を図４（ａ）に、同図（ａ）のＡ−Ａ断面図を同図（ｂ）に示す。細かな規則的パターンを形成した金型に透明樹脂を充填し、透明樹脂フィルム８ｘ上に圧接することで、頂点８ｂを有し且つ下縁８ｃが正方形となる四角錐状の規則的なパターンを突出部８ａとして刷り込み、光拡散シート８を構成している。例えば、特許第３１３１７７１号に開示されるように、透明フィルムの両面に規則的なパターンを刷り込むことで、さらに光源を浮かび上がらせるような三次元効果を得ることもできる。但し、本発明の本質は光源色の均質的な混合を得るために、より広く二次元平面に光を拡散させることである。
【００１７】
図５は、上述の如く光拡散シート８を用いて、発光ダイオード群３０の光を拡散させた状態を示す平面図である。中央の発光ダイオード群３０における黒色の四角で示すＲ発光ダイオード３１の光は、光拡散シート８の作用によって白色の四角で示すＲ発光ダイオード像４１として４方に広がり、各白色の四角を結ぶ４辺及び２対角線である一点鎖線にも沿って線状の光の残像を形成する。黒色の丸及び三角で示すＧ、Ｂ発光ダイオード３２，３３の光は、光拡散シート８の作用によって同様に白色の丸及び三角で示すＧ，Ｂ発光ダイオード像４２，４３として４方に広がる。そして、中央及び４方に５組みの発光ダイオード群像４０を投影するように中央の発光ダイオード群３０の像を二次元方向に拡散させる。これら規則的に二次元方向に拡散された発光ダイオード群像４０は、線状の光の残像と相まって、より均一な光源色の混合を促すこととなる。
【００１８】
光拡散シート８による二次元方向へ拡散された発光ダイオード群３０の光は、マットシート９によりさらに混合される。表示シート５の裏面には、先の文字等６を多色刷りにより印刷してあり、さらに無地版で白色（いわゆる白ベタ）を刷り込んである。この白ベタによって光の拡散はさらに促進されて、より均一な光源色の混合を得ることができる。
【００１９】
ＲＧＢ発光ダイオード３１，３２，３３の各特性は、加法混色により混合色が白色光となるように色度図の特性を参照して適宜選択される。また、各発光ダイオードは個別点灯が可能なので、単独点灯、二色点灯、三色点灯の合計７通りの色表現が可能である。二色点灯でもより均一な光源色の混合を得ることができる。また、三色混合の場合も、ＲＧＢ発光ダイオードを直線的に並べるよりも、上述の如く三角に並べた方がより均一な光源色の混合を得ることができる。
【００２０】
図１に示すリールユニット１の使用に際しては、図示しない投入口にコインを投入することで、各リール３ａ〜３ｃが回転を始める。このとき、ゲームの種類やチャンスによって先の発光ダイオード３１，３２，３３をそれぞれ点滅させるパターンを変化させる。各発光ダイオード群３０毎に全てのＲＧＢ発光ダイオード３１〜３３を点灯させることで白色光を得られ、各区画７ａ〜７ｃごとに順次点灯、消灯を繰り返し行うことで、流れるような演出を行える。また、一部分の発光ダイオードを点灯させないことで、色の変化を付与することができる。発光ダイオードの点滅は各リール３ａ〜３ｃの静止前後のそれぞれにおいて変化させてもよい。
【００２１】
次に、図６〜８を参照しながら本発明の第二実施形態について説明する。本実施形態では、３つの区画７ａ〜７ｃのそれぞれの間に第一実施形態のような仕切１３は存在せず、各区画７ａ〜７ｃは平面視で連続している。各区画７ａ〜７ｃは、縦方向に２群づつ並ぶ発光ダイオード群３０を有しており、各発光ダイオード群３０は２つのＲ発光ダイオード３１と各１つづつＧ発光ダイオード３２及びＢ発光ダイオード３３を有している。これら発光ダイオード３１，３２，３３は多角形状の一例である方形状に並べられ、Ｒ発光ダイオード３１は対角状に並べられている。
【００２２】
本実施形態では、各発光ダイオード３１，３２，３３は平面視で円形を呈し、円周方向の指向性を基本的に有さないものを使用している。図８に示すように、光軸ＬＸ１，ＬＸ２が区画７ａ〜７ｃの並ぶＸ軸方向に傾いても比較的輝度が低下しないので、囲い１２を利用した反射も含め、この区画での光の拡散は十分である。また、第一実施形態と異なり、Ｘ軸方向については１群の発光ダイオード群３０のみを含むものであり、囲い１２と発光ダイオード群３０と第一実施形態より離隔しているため、異なる発光ダイオード３１，３３間の反射光も離隔距離により光拡散シート８に到達する際には十分混合されることになる。
【００２３】
上述のようなＸ軸及びこれに直交するＹ軸方向に対する各発光ダイオード３１，３２，３３の指向性を、ある一定の光の強度分布で表示すれば、図６の一点鎖線及び符号７ａ１，７ａ２，７ｂ１，７ｂ２，７ｃ１，７ｃ２で示すような円形となる。囲い１２を使っての反射光を利用し、各区画内を十分に照らすことのできる点が理解される。なお、第一実施形態では仕切り１３が発光ダイオード３１，３２，３３に近接して十分な混色効果が得られなかった場合もあるが、本実施形態ではダイオードと囲い１２との距離は十分であり、そのような不都合もない。
【００２４】
本実施形態では、上記実施形態におけるマットシート９を省略してある。なお、表示シート５の裏面にマット状の白色インキ層５ａ（マット層）を設けることで、上述のマットシート９の代用としてある。但し、拡散シート８で十分に光が拡散される場合は白色インキ層５ａは不要である。これらマットシート９や白色インキ層５ａが必ずしも必要ではない点は第一実施形態も同様である。
【００２５】
最後に、本発明のさらに他の実施形態について説明する。なお、上述と同様の部材には同様の符号を附してある。
上記実施形態では、光拡散シート８の印刷パターンを図４（ａ）に示すように平面視正方形となる四角錐とした。しかし、図４（ｃ）の符号８ｃで示すように、下縁が亀甲となる六角錐として突出部８ａを形成してもよく、光を二次元に拡散しうる規則的な二次元模様であれば採用可能である。
【００２６】
上記実施形態では、ＲＧＢ発光ダイオード３１，３２，３３を図３，５に示すように正三角形の頂点に配置し、これらＲＧＢ発光ダイオード３１，３２，３３よりなる発光ダイオード群３０を横方向に同一の配列で繰り返し並べた。しかし、図９に示すように、隣り合う発光ダイオード群３０，３０同士で２つの発光ダイオードが共有され、三角形、望ましくは正三角形が上下交互の関係となるように、各ＲＧＢ発光ダイオード３１，３２，３３を配置してもよい。同構成によれば、上記実施形態よりもさらに光源色の混色が均一となり、しかも、基板２０に対する実装面積も節約することが可能となる。
【００２７】
上述の発光ダイオード３１，３２，３３の各特性は、加法混色により混合色が白色光となるように色度図の特性を参照して適宜選択すればよい。したがって、必ずしもＲＧＢ発光ダイオード３１，３２，３３を採用する必要はない。
【００２８】
上記実施形態では指向性を有さない発光ダイオード３１，３２，３３を用いたが、これらを平面視で略楕円形状を呈する指向性を有するものを用いてもよい。例えば、楕円の長軸方向であるＸ軸方向には比較的高輝度で光を照射するが、楕円の短軸方向であるＹ軸方向に向かうに従って輝度が低下するものであり、この発光ダイオードは上方及びＸ軸方向に指向性を有し、Ｘ軸方向のことを高輝度方向と称する。
【００２９】
この発光ダイオード３１，３２，３３の短軸方向Ｙを、区画７ａ〜７ｃが並ぶ縦方向に一致させ、これにより長軸方向Ｘである高輝度方向を区画７ａ〜７ｃが並ぶ方向に直交させるとよい。なお、高輝度方向Ｘは区画７ａ〜７ｃが並ぶ方向に直交ではない角度で交差させてもよいが、直交が最も望ましい。中心光軸は高輝度であるが、よりＹ軸側の光軸では輝度が低下する。この結果、各区画７ａ〜７ｃ内では輝度が維持できるが、隣の区画へは光が侵入しにくくでき、これにより各区画７ａ〜７ｃの点灯の独立性を維持できる。
【００３０】
上記実施形態では、本発明をスロットマシンについて実施した。しかし、本発明のバックライトは、例えば、パチンコ機、ピンボールゲーム機、アレンジボールゲーム機のような遊技機等に用いてもよく、遊技機以外の同様の構成について実施することも可能である。例えば、図７に示すように、店頭・店内サイン等として本発明を実施する場合には、バックライトユニット７の上面をフラットに形成し、光拡散シート８及び表示シート５もフラットに形成すればよい。表示シート５は折り曲げ部５ｘにより固定された状態にあるので、これら各シート５，８は相互に接触させてもよい。なお、文字等６や各区画７ａ〜７ｃは線状に並べるほか格子状に並べてもよい。
【００３１】
【発明の効果】
このように、上記本発明に係る表示シートのバックライトの特徴によれば、複数色の発光ダイオードを組み合わせて点灯させ、加法混色により白色光を得るので、発光ダイオードを効率よく用いることができる。また、一部の発光ダイオードを点灯させることで、有色光をも得ることができるようになった。
【００３２】
特に、光拡散シートとして前記発光体の光を少なくともこのシートに沿う二次元方向に拡散させるものを用い、前記光拡散シートを前記発光体から離隔させて配置することで、光源色をより均一に混合して白色光を得ることが可能となった。
【００３３】
なお、特許請求の範囲の項に記入した符号は、あくまでも図面との対照を便利にするためのものにすぎず、該記入により本発明は添付図面の構成に限定されるものではない。
【図面の簡単な説明】
【図１】リールユニットの斜視図である。
【図２】バックライトユニットの縦断面図である。
【図３】バックライトユニットの平面図である。
【図４】（ａ）は正方形パターンによる光拡散シートの部分拡大平面図、（ｂ）は（ａ）のＡ−Ａ断面図、（ｃ）は六角形パターンによる光拡散シートの部分拡大平面図である。
【図５】ＲＧＢ発光ダイオードの光が光拡散シートにより拡散する状態を表した平面図である。
【図６】本発明の第二実施形態を示すバックライトユニットの平面図である。
【図７】図６のＡ−Ａ断面図である。
【図８】図６のＢ−Ｂ断面図である。
【図９】ＲＧＢ発光ダイオードの配置に関する別実施例であって、は隣り合う発光ダイオード群で発光ダイオードを共有する場合を示す図である。
【図１０】店頭・店内サイン等に用いられるバックライトユニットを示す図２相当図である。
【符号の説明】
１：リールユニット、２：フレーム、３ａ〜ｃ：リール、４：リールドラム、５：表示シート、５ｘ：折り曲げ部、６：文字等、７：バックライトユニット、７ａ：上区画、７ｂ：中区画、７ｃ：下区画、８：光拡散シート、８ａ：突出部、８ｂ：頂点、８ｃ：下縁、８ｘ：折り曲げ部、９：マットシート、９ｘ：折り曲げ部、１０：ケース、１１：取付部、１２：囲い、１３：仕切り、１４：係止片、２０：基板、３０：発光ダイオード群、３１：Ｒ発光ダイオード、３２：Ｇ発光ダイオード、３３：Ｂ発光ダイオード、４０：発光ダイオード群像、４１：Ｒ発光ダイオード像、４２：Ｇ発光ダイオード像、４３：Ｂ発光ダイオード像
【図１】
2004198878.tif 000003
【図２】
2004198878.tif 000004
【図３】
2004198878.tif 000005
【図４】
2004198878.tif 000006
【図５】
2004198878.tif 000007
【図６】
2004198878.tif 000008
【図７】
2004198878.tif 000009
【図８】
2004198878.tif 000010
【図９】
2004198878.tif 000011
【図１０】
2004198878.tif 000012